(57)【特許請求の範囲】
【請求項１】
記録媒体が積載される積載領域を備え、記録装置本体に装着されるカセットと、
該カセットに積載された記録媒体を１枚ずつ搬送する搬送手段と、
を備え、前記搬送手段によって搬送された記録媒体に記録手段により記録を行う記録装置において、
前記記録装置本体に移動可能に設けられたトレイであって、
前記トレイの一方の面には、前記トレイが第１の位置に配置されたときに前記記録装置本体の外観面を成すカバーが設けられ、
前記トレイの前記一方の面に対向する他方の面には、前記トレイが第２の位置に配置されたときに、前記記録装置本体から排出された記録媒体を保持する保持部が設けられ、
前記トレイが前記第２の位置に配置されたときに前記積載領域と一体となって記録媒体を積載可能な補助部を、前記カバーと前記保持部との間に有しているトレイを有していることを特徴とする記録装置。
【請求項２】
前記カセットの前記積載領域は、前記積載領域に積載される前記記録媒体の長さ方向に多段に伸長可能である、請求項１に記載の記録装置。
【請求項３】
前記トレイは、前記第２の位置に配置されたときに、前記積載領域に積載される記録媒体の長さ方向に多段に伸長可能に構成されている、請求項１または２に記載の記録装置。
【請求項４】
前記トレイを前記第２の位置に移動させるトレイ移動手段を備えている、請求項１から３のいずれか１項に記載の記録装置。
【請求項５】
前記トレイ移動手段は、前記搬送手段による搬送動作が開始されると前記トレイを前記第２の位置に移動させるように構成されている、請求項４に記載の記録装置。
【請求項６】
前記トレイ移動手段は、前記記録装置に記録指示信号が入力されると前記トレイを前記第２の位置に移動させるように構成されている、請求項４に記載の記録装置。
【請求項７】
前記カセットは、前記トレイが前記第２の位置に配置されたときに前記保持部と共に記録媒体を保持する受け台を備えている、請求項１から６のいずれか１項に記載の記録装置。
【請求項８】
前記搬送手段は、
前記カセットに積載された記録媒体を前記記録装置本体の背面方向に１枚ずつ分離して供給する分離供給部と、
該分離供給部によって供給された記録媒体を前記記録装置本体の正面方向に方向転換させて前記記録手段に対向する位置に搬送する搬送部と、
を有する、請求項１から７のいずれか１項に記載の記録装置。
【発明の詳細な説明】
【技術分野】
【０００１】
本発明は、記録媒体に文字や画像等を記録する記録装置に関する。
【背景技術】
【０００２】
図１５は、従来の記録装置の概略構成を示す断面図である。
【０００３】
図１５に示すように、記録装置本体の下部に設けられた給紙カセット１０１に多数枚の記録用紙を積載し、それらを１枚ずつ分離して給紙する形態の給紙手段が、従来から記録装置に広く採用されている。給紙カセット１０１は、前後方向へスライド可能な構造となっており、ユーザーは記録装置の前面から記録用紙をセットすることが可能である。また、記録用紙の搬送経路がＵターン形状となっており、記録装置の背面方向に給紙された記録用紙の搬送方向をＵターン搬送ローラー１０２，１０３によって記録装置の正面側に１８０度方向転換して、記録ヘッド１０４による記録を行うことが可能になっている。このようにして記録ヘッド１０２による記録が行われた記録用紙は、その後、排紙ローラー１０４，１０５によって記録装置の正面側に搬送され、排紙トレイ１０６上に排出される。
【０００４】
以上の構成により、ユーザーは、記録装置の正面側から記録用紙のセットと回収とを行うことが可能である。
【０００５】
なお、上記のように記録装置の正面側に給紙カセット１０１と排紙トレイ１０５とが配置される構成では両者が近接するため、それらのスペースの確保や構造の簡素性、あるいは操作性等の観点から、種々の構成が提案されている（特許文献１，２を参照）。
【特許文献１】特開平７−１０１５９９号公報
【特許文献２】特開平５−６９９５７号公報
【発明の開示】
【発明が解決しようとする課題】
【０００６】
しかしながら、給紙カセットと排紙トレイとが共に記録装置本体の正面側に配置される構成を有する従来の記録装置においては、以下の課題があった。
【０００７】
記録装置のコンパクト化を考えた場合、給紙カセットと排紙トレイとが配置される領域をできるだけ融合することが有効である。しかしながら、ユーザーの操作性の観点から考えると、ユーザーの使用条件において、給紙カセットと排紙トレイとは互いの動作が干渉しないような位置に配置する必要がある。つまり、給紙カセットを前後にスライドさせる際に移動する領域や、ユーザーが記録用紙をセットするために必要な領域内に、排紙トレイが配置されないように構成する必要がある。このような装置構成になっていない場合には、ユーザーには、給紙カセットに記録用紙をセットするという本来の動作に加えて、排紙トレイを退避させる動作が発生するため、ユーザーの操作性が低下する。そのため、給紙カセットと排紙トレイとは、操作時に特に給紙カセットの前後のスライド方向において干渉しないように、同一の高さに配置されないことが求められる。その結果、記録装置に求められる必要な高さは、少なくとも給紙カセットと排紙トレイとを合わせた高さとなる。加えて、排紙トレイ上に積み重ねられる記録用紙の分の高さも必要となる。このような理由により、従来は記録装置の高さ方向のコンパクト化を図ることが困難であった。
【０００８】
一方、ユーザーの操作性を犠牲にして記録装置の高さ方向のコンパクト化を優先し、給紙カセットと排紙トレイとを同一の高さに配置した場合を考えると、給紙カセットの前面側に排紙トレイが存在するため、給紙カセットを延長させる構成をとることができない。よって、給紙カセットのサイズは記録装置本体の奥行きと同じサイズにする必要がある。つまり、記録装置本体の奥行きのサイズを、給紙カセットに積載される記録用紙の最大サイズにする必要があるため、記録装置本体の奥行きをコンパクト化することと、大サイズの記録用紙を積載可能とすることとのの両立が困難となる。
【０００９】
また、記録装置のデザイン面と収納性の観点からは、給紙カセットと排紙トレイとは記録装置の不使用時には記録装置本体から突出することがなく、記録装置本体と一体的に収納されることが求められる。
【００１０】
本発明は、以上の課題を鑑み、デザイン性と収納性を満足しつつ記録装置のコンパクト化を実現し、かつ給紙カセットへの記録用紙のセット時の操作性を良好にすることが可能な記録装置を提供することを目的とする。
【課題を解決するための手段】
【００１１】
上記目的を達成するため、本発明の記録装置は、記録媒体が積載される積載領域を備え、記録装置本体に装着されるカセットと、該カセットに積載された記録媒体を１枚ずつ搬送する搬送手段と、を備え、前記搬送手段によって搬送された記録媒体に記録手段により記録を行う記録装置において、前記記録装置本体に移動可能に設けられたトレイであって、前記トレイの一方の面には、前記トレイが第１の位置に配置されたときに前記記録装置本体の外観面を成すカバーが設けられ、前記トレイの前記一方の面に対向する他方の面には、前記トレイが第２の位置に配置されたときに、前記記録装置本体から排出された記録媒体を保持する保持部が設けられ、前記トレイが前記第２の位置に配置されたときに前記積載領域と一体となって記録媒体を積載可能な補助部を、前記カバーと前記保持部との間に有しているトレイを有していることを特徴とする。
【発明の効果】
【００１２】
本発明によれば、デザイン性と収納性を満足しつつ記録装置のコンパクト化を実現し、かつ給紙カセットへの記録用紙のセット時の操作性を良好にすることが可能な記録装置を提供することができる。
【発明を実施するための最良の形態】
【００１３】
次に、本発明の実施形態について図面を参照して説明する。
【００１４】
（第１の実施形態）
以下に、図１〜６を参照して、本発明の第１の実施形態に係る記録装置について説明する。
【００１５】
図１に示すように、記録装置本体の底部には、記録装置本体に対してスライド式に装着可能な給紙カセット１が配置されている。給紙カセット１は、多数枚の記録用紙（記録媒体）を水平に積載することが可能な記録用紙積載領域（記録媒体積載領域）１１を備えている。記録用紙積載領域１１の、記録装置の正面側の端部（図示左側の端部）には記録用紙端部規制板１３が備えられている。記録用紙端部規制板１３は、記録用紙積載領域１１に積載された記録用紙の後端部の位置を規制し、記録用紙を記録用紙積載領域１１の所定の位置に配置する機能を有している。
【００１６】
記録用紙積載領域１１の、記録用紙の給紙側の端部付近には、給紙ローラー１２と不図示の分離手段とで構成される分離供給部が設けられており、これらにより、記録用紙積載領域１１に積載された記録用紙の最上部から、記録用紙の給紙が１枚ずつ行われる。給紙された記録用紙は、Ｕターン搬送部２において、Ｕターン搬送ローラー２１，２２により、搬送方向が記録装置の背面方向から正面方向へと１８０度反転するように搬送される。
【００１７】
Ｕターン搬送部２によって反転搬送された記録用紙は、その後、Ｕターン搬送部２の出口付近に配置されている搬送ローラー２３とこれに従動回転するピンチローラー２４とによって、記録部３に対向する位置に搬送される。なお、これらのＵターン搬送部２、搬送ローラー２３及びピンチローラー２４によって、記録用紙の搬送部が構成されている。
【００１８】
記録部３は、記録用紙を裏面側から支持するプラテン３２と、記録用紙に文字や画像を記録する記録ヘッド３１とを有している。記録ヘッド３１は、いわゆるインクジェット記録ヘッドであり、モーター駆動により記録用紙の幅方向に往復動作しながら、これに入力される画像信号に応じたインク滴を吐出し、プラテン３２によって裏面側を支持された記録用紙に記録を行う。
【００１９】
記録ヘッド３１は、微細なインク吐出口（オリフィス）、インク流路及びこのインク流路の一部に設けられたエネルギー作用部と、このエネルギー作用部にあるインクに対して液滴化し、吐出するためのエネルギーを与えるエネルギー作用部とを備えている。エネルギー発生部には、ピエゾ素子等の電気機械変換体を用いた方式や、発熱抵抗体を有する発熱素子などの電気熱変換体によってインクを加熱してインクを吐出させる方式のものがある。その中でも、熱エネルギーによって液体を吐出させるインクジェット記録ヘッドは、インク液滴を吐出するインク吐出口（オリフィス）を高密度に配置する事が可能なために、高解像度の画像を記録用紙に記録することが可能である。中でも、電気熱変換体をエネルギー発生部として用いた記録ヘッドは、コンパクト化も容易であり、かつ高密度実装化が容易で、製造コストも安価なことから広く使用されている。
【００２０】
なお、図１においては示されていないが、記録装置は、記録ヘッド３１のインク吐出動作の機能回復のために記録ヘッド３１からインクの吸引排出を行うポンプを備えている。さらに、記録装置は、記録ヘッド３１の乾燥を抑えるためのキャップ、記録ヘッド３１のインク吐出口近辺のフェイス面のクリーニングを行うブレード等を備えている。
【００２１】
記録部３よりも記録用紙の搬送方向下流側には、記録用紙の排出部４が備えられている。排出部４は、回転駆動する排紙ローラー４１，４２と、この排紙ローラー４１，４２に記録用紙を押圧して従動回転する拍車ローラー４３，４４と、排紙された記録用紙を保持する排紙受け部５とを有している。拍車ローラー４３，４４は、記録直後の未定着インクが付着した記録用紙への圧痕やインク跡を回避するため、外周に鋭利な突起を複数有する鋸歯上の薄円板形状となっている。排紙受け部５は、排紙受け台５５と、排紙を保持するために必要な必要長を補うためのトレイ５１とを有している。
【００２２】
トレイ５１は、トレイ５１あるいは給紙カセット１のいずれかに設けられた回転軸６１を回転中心として、給紙カセット１と同一の高さ領域に回転移動可能に設けられている。また、排紙受け台５５は、排紙受け台５５もしくは給紙カセット１上に設けられた回転軸６４を回転中心として、給紙カセット１に回転移動可能に設けられている。
【００２３】
図２に示すように、トレイ５１の一方の面には、トレイが符号５１Ａで示す閉位置（第１の位置）に配置されたときに記録装置本体の外観面を成すフロントカバー５３が設けられている。トレイ５１のフロントカバー５３に対向する他方の面には、記録装置本体から排出された記録用紙を保持する排紙保持部５２が設けられている。排紙保持部５２は、記録装置本体の排紙口側に配置されている。排紙保持部５２は、図２に示すように、フロントカバー５３に対してスライド可能に設けられている。さらに、トレイ５１の排紙保持部５２とフロントカバー５３との間には、記録用紙を収容可能な給紙補助部５４が設けられている。給紙補助部５４は、図２に示すように開いた状態のときに給紙カセット１の記録用紙積載領域１１と滑らかに接続するように構成されており、両者を一体的に使用して記録用紙を積載することが可能である。
【００２４】
なお、図示したトレイ５１は１段構成となっているが、１段構成では排出された記録用紙を保持するために必要な長さを確保できない場合には、トレイ５１を多段式に伸長可能な構成としてもよい。
【００２５】
次に、トレイ５１の動作を図１から図４を参照して説明する。
【００２６】
トレイ５１の不使用時には、トレイ５１を符号５１Ａで示す閉位置に回転移動させ、フロントカバー５３を記録装置本体の外観面と一致させることで、トレイ５１をコンパクトかつデザイン的にも満足した形で収納することが可能である。図３に、トレイ５１が収納された状態の記録装置の外観斜視図を示す。
【００２７】
また、記録装置本体には、トレイ５１の使用時に、トレイ５１を符号５１Ａで示す閉位置から符号５１Ｂで示す開位置（第２の位置）に自動的に移動させるトレイ移動機構（不図示）が設けられている。トレイ移動機構は、分離給供給部及び搬送部による給紙搬送動作が開始されるとトレイ５１を開位置に自動的に移動させるように構成されている。あるいは、トレイ移動機構は、記録装置に記録指示信号が入力されるとトレイ５１を開位置に自動的に移動させるように構成されている。トレイ移動機構は、排紙動作が始まる前にトレイ５１を開位置まで回転移動させる。トレイ５１が開位置まで回転移動させられると、トレイ５１の排紙保持部５２が排紙受け台５５と滑らかに接続され、排紙された記録用紙をそれらによって積載保持することが可能となる。図４に、トレイ５１が開放され、トレイ５１の排紙保持部５２と排紙受け台５５とによって排紙保持可能状態になった記録装置の外観斜視図を示す。
【００２８】
ここで、トレイ５１を自動開放するトレイ移動機構としては、記録指示信号に連動して作動するソレノイド等の駆動源により、トレイ５１を保持しているラッチが開放されるものが挙げられる。あるいは、排紙ローラー４３，４４の動きに連動して、トレイ５１を押す方向にリンク機構が動作する構成が挙げられる。なお、本実施形態ではトレイ５１が自動で開く構成としているが、必ずしもこれに限定されるものではなく、トレイ５１に手がけ部を設けてトレイ５１を手動で開放する構成としてもよい。
【００２９】
次に、図５を参照して、小サイズの記録用紙を給紙カセット１にセットする方法について説明する。
【００３０】
本実施形態の構成においては、給紙カセット１に記録用紙をセットする場合には、トレイ５１を正面方向にスライドさせることにより、給紙カセット１も一緒にスライドさせて記録装置本体から引き出すことが可能である。したがって、給紙カセット１に記録用紙をセットする際に、トレイ５１を給紙カセット１のスライド領域から退避させる動作を行う必要がない。そのため、ユーザーが給紙カセットへ記録用紙をセットする際の操作性が優れている。
【００３１】
続いて、図６を参照して、給紙補助部５４を使用して大サイズの記録用紙を給紙カセット１にセットする方法について説明する。
【００３２】
この場合にも、まず、トレイ５１を給紙カセット１と一緒に正面方向にスライドさせて、それらを記録装置本体から引き出す。そして、トレイ５１の排紙保持部５２を正面側にさらにスライドさせ、排紙受け台５５を回転させることにより、記録用紙を記録装置本体内に挿入するための挿入口７１が形成される。記録装置本体内に挿入された大サイズの記録用紙は、記録補助部５４に設けられた補助規制板１４によってその後端部の位置が規制される。ここで、給紙カセット１に設けられている規制板１３（図１，５参照）は、可倒もしくは取り外し可能となっており、給紙カセット１への大サイズの記録用紙の積載を妨げない。また、給紙カセット１の正面側に設けられている不図示の手がけ部も同様に可倒式もしくは取り外し可能であり、手動もしくはトレイ５１の開閉に連動して開閉する構成となっており、大サイズの記録用紙の積載を妨げない。
【００３３】
上述したように、本実施形態の記録装置は、トレイ５の内部に設けられた給紙補助部５４が、給紙カセット１の記録用紙積載領域１１と一体となって記録用紙を収容する構成を備えている。そのため、給紙カセット１とトレイ５とが実質的に同じ高さに配置されている。したがって、本実施形態によれば、従来では必要であった記録装置の高さ方向のスペースを、給紙カセット１とトレイ５との高さ方向のオーバーラップが解消された分だけ削減することが可能となるため、記録装置本体の高さ方向のコンパクト化を図ることができる。
【００３４】
さらに、補助給紙部５４が給紙カセット１の記録用紙積載領域１１と一体となって記録用紙を収容することにより、記録装置本体から突出するサイズの記録用紙を積載することが可能となる。換言すれば、記録装置本体の奥行きを、記録装置に使用される記録用紙の最大サイズよりも小さくすることができる。本実施形態の記録装置では、記録装置本体の奥行きサイズ以下の小サイズの記録用紙は給紙カセット１の記録用紙積載領域１１内に積載され、それ以上の大サイズの記録用紙は記録用紙積載領域１１に補助給紙部５４が付加された領域に積載される。このようにして、本実施形態によれば、使用する記録用紙のサイズに関わらず、記録装置本体の奥行き方向をコンパクト化することが可能である。
【００３５】
また、本実施形態の構成では、大サイズの記録用紙は、記録用紙積載領域１１から排紙受け台５５の下方を通って補助給紙部５４に延びる領域内にセットされるため、排紙受け台５５の高さまでの枚数を積載することができる。一方、小サイズの記録用紙は、記録装置本体内の排紙受け台５５よりも奥側の空間である記録用紙積載領域１１内に収容される。記録装置本体内の記録用紙積載領域１１の高さは、排紙受け台５５の高さよりも高くなっている。したがって本実施形態の記録装置では、小サイズの記録用紙は、排紙受け台５５の高さに依存せず、記録用紙積載領域１１内に収容できる最大の枚数を記録用紙積載領域１１に積載することができる。このように、本実施形態の記録装置は、大サイズの記録用紙を使用可能でかつコンパクト化が図られているにもかかわらず、小サイズの記録用紙は従来と同様に最大限の枚数を積載することが可能になっている。
【００３６】
以上のように、本実施形態の記録装置によれば、デザイン性と収納性を満足しつつ記録装置のコンパクト化を実現し、かつ給紙カセットへの記録用紙のセット時の操作性を良好にすることが可能である。
【００３７】
（第２の実施形態）
次に、図７及び図８を参照して、本発明の第２の実施形態に係る記録装置について説明する。図１〜図６を参照して説明した部材と同一あるいは対応する部材については、それらと同一の符号を付して説明を省略する。
【００３８】
第１の実施形態においては、トレイ５１の内部に補助給紙部５４を備え、これを給紙カセット１と一体的に用いて大サイズの記録用紙を給紙可能とする構成について説明したが、本発明はこのような構成に限定されるものではない。
【００３９】
本実施形態では、図７に示すように、給紙カセット１の記録用紙積載領域１１を、その中に積載される記録用紙の長さ方向に多段に伸長可能な延長部１６を備えている。これにより、積載する記録用紙のサイズに応じて、記録用紙積載領域１１の積載面の長さを調節することが可能な構成となっている。また、排紙受け台５５も、記録用紙積載領域１１の伸縮に連動して伸長することが可能な構成になっている。なお、本実施形態における排紙受け部５は、給紙カセット１を伸長させて大サイズの記録用紙を積載したときにその後端の位置を規制する更なる規制板１３Ａを備えている。
【００４０】
本実施形態の記録装置も、このような構成により、記録装置本体の奥行きサイズよりも、給紙カセット１の突出した延長部１６の延長長さの分だけ大きなサイズの記録用紙を積載することができる。そのため、記録装置本体の奥行きを、記録装置に使用される記録用紙の最大サイズよりも小さくすることができる。本実施形態の記録装置では、記録装置本体の奥行きサイズ以下の小サイズの記録用紙は給紙カセット１の記録用紙積載領域１１内に積載され、それ以上の大サイズの記録用紙は記録用紙積載領域１１に延長部１６が付加された領域に積載される。このようにして、本実施形態によれば、使用する記録用紙のサイズに関わらず、記録装置本体の奥行き方向をコンパクト化することが可能である。
【００４１】
ここで、図８を参照して、給紙カセット１へ記録用紙をセットする方法について説明する。
【００４２】
給紙カセット１へ記録用紙をセットする際には、トレイ回転軸６１を中心として排紙受け台５５を回転させ、記録用紙の上方の空間を空けることで、記録用紙を給紙カセット１内に容易にセットすることが可能となる。なお、給紙カセット１が備える規制板１３は、下方向に伸縮可能な構成となっている。そのため、大サイズの記録用紙をセットするときには規制板１３の高さを低くして記録用紙積載領域１１から退避させ、小サイズの記録用紙をセットするときにはその高さを高くして小サイズの記録用紙の後端位置を規制することが可能である。
【００４３】
以上のように、本実施形態の記録装置においても、デザイン性と収納性を満足しつつ記録装置のコンパクト化を実現し、かつ給紙カセットへの記録用紙のセット時の操作性を良好にすることが可能である。
【００４４】
（第３の実施形態）
次に、図９及び図１０を参照して、本発明の第３の実施形態に係る記録装置について説明する。図１〜図８を参照して説明した部材と同一あるいは対応する部材については、それらと同一の符号を付して説明を省略する。
【００４５】
第１及び第２の実施形態においては、トレイ５１内部の補助給紙領域５４や伸縮式の給紙カセット１を用いて、記録装置の外部領域に記録用紙を延長させた状態で記録用紙を積載する構成について説明したが、本発明はこのような構成に限定されるものではない。
【００４６】
本実施形態の記録装置は、この記録装置による記録が可能な最大サイズの記録用紙に合わせた奥行き寸法を有している。この構成では、小サイズの記録用紙は、図９に示すように、排紙受け台５５の背面側のスペースに配置されている記録用紙積載領域１１に積載される。一方、大サイズの記録用紙は、図１０に示すように、記録用紙積載領域１１から排紙受け台５５の下方のスペース１９へ延びた領域に積載される。
【００４７】
本実施形態の記録装置によれば、デザイン性と収納性を満足しつつ、記録装置の高さ方向におけるコンパクト化を実現し、かつ給紙カセットへの記録用紙のセット時の操作性を良好にすることが可能である。
【００４８】
（第４の実施形態）
次に、図１１及び図１２を参照して、本発明の第４の実施形態に係る記録装置について説明する。図１〜図１０を参照して説明した部材と同一あるいは対応する部材については、それらと同一の符号を付して説明を省略する。
【００４９】
第１及び第２の実施形態においては、給紙カセット１が上下方向に１段の構成で、トレイ５１の補助給紙部５４（図２）や延長部１６（図７）を給紙カセット１の記録用紙積載領域１１と一体的に使用して、大サイズの記録用紙を給紙可能な構成を説明した。しかしながら、本発明はこのような構成だけ限定されるものではない。
【００５０】
図１１に示すように、本実施形態の記録装置は給紙カセットが上下２段の構成となっている。下段側の給紙カセット１８は、記録装置本体の正面から突出し、大サイズの記録用紙を積載することが可能な構成となっている。下段の給紙カセット１８については、デザイン性や収納性の観点から、長手方向に多段に伸縮可能な構成であることが好ましい。
【００５１】
また、図１２に示すように、本実施形態における上段側の給紙カセット１は、内部に補助給紙部５４を有するトレイ５１が給紙カセット１に回転自在に構成され、大サイズ記録用紙の一部を記録装置の外部に積載可能な構成になっている。この点は、図１，２等に示した第１の実施形態と同様である。ただし、上段側の給紙カセット１は必ずしも上記のような構成をとる必要はなく、図７等に示した第２の実施形態と同様に、給紙カセット１を複数段に伸縮自在な構成として、大サイズ記録用紙の一部を記録装置の外部に積載可能な構成としてもよい。
【００５２】
また、本実施形態では下段の給紙カセット１８で大サイズの記録用紙を積載することが可能なため、上段側の給紙カセット１は小サイズの記録用紙の積載に限定した構成としてもよく、また、大サイズの記録用紙も搬送可能な構成としてもよい。上段の給紙カセット１を小サイズの記録用紙の積載に限定した構成に限定した場合には、記録装置内部の記録用紙積載領域１１のみに記録用紙を積載することが可能である。そのため、排紙受け台５５の高さにかかわらず、記録用紙積載領域１１に積載可能な最大枚数の記録用紙を給紙カセット１に積載することができる。このように、本実施形態の記録装置も、大サイズの記録用紙を使用可能でかつコンパクト化が図られているにもかかわらず、小サイズの記録用紙は従来と同様に最大限の枚数を積載することが可能になっている。
【００５３】
以上のように、本実施形態の記録装置によれば、デザイン性と収納性を満足しつつ記録装置のコンパクト化を実現し、かつ給紙カセットへの記録用紙のセット時の操作性を良好にすることが可能である。
【００５４】
（第５の実施形態）
次に、図１３及び図１４を参照して、本発明の第５の実施形態に係る記録装置について説明する。図１〜図１２を参照して説明した部材と同一あるいは対応する部材については、それらと同一の符号を付して説明を省略する。
【００５５】
第４の実施形態においては、給紙カセットが上下２段の構成で、かつトレイ５１の補助給紙領域５４（図２）や延長部１６（図７）を用いて、記録装置の外部領域に記録用紙を積載することが可能な構成について説明した。しかしながら、本発明はこのような構成に限定されるものではない。
【００５６】
図１３及び図１４に示すように、記録装置本体の奥行き方向のサイズが、上下段の給紙カセット１，１８のいずれかに積載される記録用紙の最大サイズに合わせて構成されていてもよい。本実施形態では、図１３に示すように、小サイズの記録用紙は、上段の給紙カセット１の排紙受け台５５の背面側のスペースである記録用紙積載領域１１に積載される。また、図１４に示すように、大サイズの記録用紙は、記録用紙積載領域１１に排紙受け台５５の下方のスペースが付加された領域に積載される。
【００５７】
このように構成された本実施形態の記録装置においても、デザイン性と収納性を満足しつつ、記録装置の高さ方向におけるコンパクト化を実現し、かつ給紙カセットへの記録用紙のセット時の操作性を良好にすることが可能である。
【図面の簡単な説明】
【００５８】
【図１】本発明の第１の実施形態に係る記録装置を示す概略断面図である。
【図２】図１に示した記録装置のトレイを開いた状態を示す概略断面図である。
【図３】図１に示した記録装置のトレイを閉じた状態を示す外観斜視図である。
【図４】図１に示した記録装置のトレイを開いた状態を示す外観斜視図である。
【図５】図１に示した記録装置の、トレイを正面側に引き出した状態を示す概略断面図である。
【図６】図１に示した記録装置の、トレイを正面側に引き出した状態を示す外観斜視図である。
【図７】本発明の第２の実施形態に係る記録装置を示す概略断面図である。
【図８】図７に示した記録装置における給紙カセットを示す斜視図である。
【図９】本発明の第３の実施形態に係る記録装置を示す概略断面図であって、給紙カセットに小サイズの記録用紙を積載した状態を示す図である。
【図１０】本発明の第３の実施形態に係る記録装置を示す概略断面図であって、給紙カセットに大サイズの記録用紙を積載した状態を示す図である。
【図１１】本発明の第４の実施形態に係る記録装置を示す概略断面図であって、上段の給紙カセットに小サイズの記録用紙を積載した状態を示す図である。
【図１２】本発明の第４の実施形態に係る記録装置を示す概略断面図であって、上段の給紙カセットに大サイズの記録用紙を積載した状態を示す図である。
【図１３】本発明の第５の実施形態に係る記録装置を示す概略断面図であって、上段の給紙カセットに小サイズの記録用紙を積載した状態を示す図である。
【図１４】本発明の第５の実施形態に係る記録装置を示す概略断面図であって、上段の給紙カセットに大サイズの記録用紙を積載した状態を示す図である。
【図１５】従来の記録装置を示す概略断面図である。
【符号の説明】
【００５９】
１，１８    給紙カセット
２    Ｕターン搬送部
３    記録部
１１  記録用紙積載領域
１４
５１  トレイ
５２  排紙保持部
５３  フロントカバー
５４  補助給紙部
５５  排紙受け台
【図１】
0005132353.tif 000002
【図２】
0005132353.tif 000003
【図３】
0005132353.tif 000004
【図４】
0005132353.tif 000005
【図５】
0005132353.tif 000006
【図６】
0005132353.tif 000007
【図７】
0005132353.tif 000008
【図８】
0005132353.tif 000009
【図９】
0005132353.tif 000010
【図１０】
0005132353.tif 000011
【図１１】
0005132353.tif 000012
【図１２】
0005132353.tif 000013
【図１３】
0005132353.tif 000014
【図１４】
0005132353.tif 000015
【図１５】
0005132353.tif 000016